(57)【要約】【課題】全てのユーザーが簡単かつ正確に目薬を目の中心に滴下できる構造とする。簡単かつ容易に照準器を目薬容器の正確な位置に連結する。【解決手段】点眼器は、目薬３を充填してなる目薬容器２と、この目薬容器２に連結される点眼用の照準器１とを備える。照準器１は、目薬容器２に連結されるケーシング１０と、ケーシング１０に固定されて目薬容器２の底から目薬３を透過して注液孔２１に向かって可視光線を照射するＬＥＤ１１と、ＬＥＤ１１に電力を供給する電池１２とを備える。目薬容器２は、ケーシング１０を定位置に配置する嵌合凹部２０を底面に備え、ケーシング１０を定位置に配置する嵌合凹部２０は、ケーシング１０に設けたＬＥＤ１１が可視光線を注液孔２１に向かって照射する位置に設けられており、嵌合凹部２０にケーシング１０を配置してなる照準器１が、ＬＥＤ１１の可視光線を注液孔２１に向かって照射するようにしている。【選択図】図１
2019129863.tif 000002
【特許請求の範囲】
【請求項１】
目薬を充填してなる目薬容器と、
前記目薬容器に連結される点眼用の照準器と、
を備える点眼器であって、
前記照準器は、前記目薬容器に連結されるケーシングと、
前記ケーシングに固定されて前記目薬容器の底から目薬を透過して注液孔に向かって可視光線を照射するＬＥＤと、
前記ケーシングに設けられて前記ＬＥＤに電力を供給して発光させる電池とを備え、
前記目薬容器は、前記ケーシングを定位置に配置する嵌合凹部を底面に設けており、
前記ケーシングを定位置に配置する前記嵌合凹部は、前記ケーシングに設けてなる前記ＬＥＤが可視光線を前記注液孔に向かって照射する位置に設けられ、
前記嵌合凹部に前記ケーシングを配置してなる照準器が、前記ＬＥＤの可視光線を前記注液孔に向かって照射するようにしてなる点眼器。
【請求項２】
請求項１に記載される点眼器であって、
前記目薬容器が、前記照準器のケーシングを前記嵌合凹部に挿入する状態で、前記嵌合凹部の内面が前記ケーシングに弾性的に押圧されて、前記ケーシングを前記嵌合凹部の定位置に保持してなることを特徴とする点眼器。
【請求項３】
請求項１又は２に記載される点眼器であって、
前記ケーシングが、前記嵌合凹部の内面を弾性的に押圧する弾性アームを有し、前記弾性アームが嵌合凹部の内面を押圧して定位置に配置されてなることを特徴とする点眼器。
【請求項４】
請求項１ないし３のいずれかに記載される点眼器であって、
前記照準器が、前記ＬＥＤと前記電池との間に接続されてなるスイッチを備え、
前記スイッチが、前記嵌合凹部から露出する前記ケーシングの底面に、前記スイッチをオンオフに切り換える押圧部を備え、
前記押圧部が押されて、前記スイッチがオン状態に切り換えられて前記ＬＥＤを点灯するようにしてなる点眼器。
【請求項５】
請求項４に記載される点眼器であって、
前記ケーシングが前記嵌合凹部に挿入される筒状で、
前記ＬＥＤと前記電池が、前記筒状ケーシングの軸方向に離して配置され、
前記ＬＥＤに接続してなる第１の接点と、前記電池又は電池に接続してなる第２の接点とが対向位置に配置され、
前記ＬＥＤと前記電池との間には、前記第１の接点と前記第２の接点とを分離する方向に付勢するスイッチ用の弾性体が配置され、
前記ＬＥＤと前記電池は、前記ケーシングの軸方向に相対移動できる状態で前記ケーシング内に配置され、
前記第１の接点及び前記第２の接点と、前記スイッチ用の弾性体とで、前記ＬＥＤを前記電池に接続するスイッチが構成され、
前記押圧部が押されて、前記電池と前記ＬＥＤとが互いに接近して、前記第２の接点が前記第１の接点に接触して前記ＬＥＤが点灯されるようにしてなることを特徴とする点眼器。
【請求項６】
請求項５に記載される点眼器であって、
前記ＬＥＤが前記ケーシングの先端部に軸方向に移動自在に配置され、
前記押圧部が押されて、前記ケーシングが軸方向に移動して、前記ＬＥＤが前記嵌合凹部の底面に押圧され、
前記ＬＥＤが前記電池に向かって移動して、前記第２の接点が前記第１の接点に接触して前記ＬＥＤが点灯されるようにしてなることを特徴とする点眼器。
【請求項７】
請求項５に記載される点眼器であって、
前記電池が前記ケーシングの後端部に軸方向に移動自在に配置され、
前記押圧部が押されて、前記電池が前記ＬＥＤに向かって移動して、前記第２の接点が前記第１の接点に接触して、前記ＬＥＤが点灯されるようにしてなることを特徴とする点眼器。
【発明の詳細な説明】
【技術分野】
【０００１】
本発明は、目薬を目に正確にさすための点眼器に関する。
【背景技術】
【０００２】
点眼用の照準器を備える点眼器は開発されている（特許文献１参照）。
従来の点眼器の照準器を図７に示す。この図の照準器は、注液孔９５に接近してＬＥＤ９２を固定している。ＬＥＤ９２を発光させる電池９３とスイッチ９４も目薬容器９１に固定している。この照準器は、スイッチ９４をオン状態としてＬＥＤ９２を発光させて、注液孔９５から目に点眼する。
【先行技術文献】
【特許文献】
【０００３】
【特許文献１】アメリカ特許第５５５８６５３号
【発明の概要】
【発明が解決しようとする課題】
【０００４】
図７に示す従来の点眼用の照準器は、ＬＥＤ９２を点光源の照準として点眼する。この照準器は、ＬＥＤ９２の点光源が注液孔９５とは異なる位置にあるので、ユーザーは点光源のＬＥＤ９２を目の中心に接近して点眼すると、目薬９０が目の中心からずれた位置に滴下される。目薬を正確に目の中心に滴下するには、ＬＥＤ９２を目の中心からずらせた位置に配置して、目薬９０を滴下する必要があるが、この状態で点眼するには、ＬＥＤ９２の位置を微妙に目の中心からずらせた位置に調整する必要があり、さらにこの調整には個人差があるので、全てのユーザーが目薬を目の中心に正確に滴下するのは極めて難しい欠点がある。
【０００５】
本発明は、以上の欠点を解消することを目的として開発されたもので、本発明は、全てのユーザーが簡単かつ正確に目薬を目の中心に正確に滴下できる点眼器を提供することにある。
【０００６】
さらに、本発明の他の大切な目的は、簡単かつ容易に、しかも全てのユーザーが照準器を目薬容器の正確な位置に連結して、照準器のＬＥＤの可視光線で注液孔を正確に照射して、注液孔を明るい点光源として、正確に目薬を目に滴下できる点眼器を提供することにある。
【課題を解決するための手段及び発明の効果】
【０００７】
本発明の点眼器は、目薬３を充填してなる目薬容器２と、この目薬容器２に連結される点眼用の照準器１とを備えている。照準器１は、目薬容器２に連結されるケーシング１０と、ケーシング１０に固定されて目薬容器２の底から目薬３を透過して注液孔２１に向かって可視光線を照射するＬＥＤ１１と、ケーシング１０に設けられてＬＥＤ１１に電力を供給して発光させる電池１２とを備えている。目薬容器２は、ケーシング１０を定位置に配置する嵌合凹部２０を底面に設けており、ケーシング１０を定位置に配置する嵌合凹部２０は、ケーシング１０に設けてなるＬＥＤ１１が可視光線を注液孔２１に向かって照射する位置に設けられており、嵌合凹部２０にケーシング１０を配置してなる照準器１が、ＬＥＤ１１の可視光線を注液孔２１に向かって照射するようにしている。
【０００８】
以上の目薬の点眼器は、目薬容器の正確な位置に照準器を連結して、照準器のＬＥＤが可視光線を正確に注液孔に照射できる特徴がある。注液孔が可視光線で明るく照射される点眼器は、注液孔を明るい点光源の照準として目薬容器を目に接近できるので、ユーザーは点光源を目視しながらこれを目標とし、注液孔が目の真上から位置ずれしないように接近して、目薬を正確に滴下できる特徴がある。目薬容器の正確な位置に配置している照準器が、注液孔に向かって可視光線を照射し、照射される可視光線が目薬を透過して注液孔を明るい点光源として明確に表示するからである。したがって、この点眼器は、大人から老人まで幅広いユーザーに使用されて、全てのユーザーが目薬を外部に漏らすことなく、正確に目に滴下できる特徴がある。とくに、以上の点眼器は、照準器を目薬容器の正確な位置に連結できるので、目薬容器の定位置に配置される照準器のＬＥＤが、可視光線を正確に注液孔に向かって照射して、注液孔を明るい点光源の照準として明示するので、全てのユーザーに使用されて、正確に目薬を漏らさず滴下できる特徴がある。とくに本発明の点眼器は、目薬を滴下する注液孔を明るい点光源の照準として明示するので、全てのユーザーに使用されて目薬を正確に点眼できる特徴を実現する。また、目薬容器に設けた嵌合凹部に照準器のケーシングを案内して定位置に配置するので、極めて簡単な構造としながら、あらゆるユーザーに使用されて、照準器を目薬容器の正確に位置に連結して、誰もが簡単かつ容易に、しかも正確に漏らさず目薬を目にさすことができる特徴を実現する。
【０００９】
また、本発明の点眼器は、目薬容器２が、照準器１のケーシング１０を嵌合凹部２０に挿入する状態で、嵌合凹部２０の内面がケーシング１０に弾性的に押圧されて、ケーシング１０を嵌合凹部２０の定位置に保持することができる。
【００１０】
さらに、本発明の点眼器は、ケーシング１０が、嵌合凹部２０の内面を弾性的に押圧する弾性アーム１５を有し、弾性アーム１５が嵌合凹部２０の内面を押圧して定位置に配置することができる。
【００１１】
さらに、本発明の点眼器は、照準器１が、ＬＥＤ１１と電池１２との間に接続されてなるスイッチ１３を備えて、スイッチ１３が、嵌合凹部２０から露出するケーシング１０の底面に、スイッチ１３をオンオフに切り換える押圧部１０Ｂを備え、押圧部１０Ｂが押されて、スイッチ１３がオン状態に切り換えられてＬＥＤ１１を点灯することができる。
【００１２】
さらに、本発明の点眼器は、ケーシング１０が嵌合凹部２０に挿入される筒状で、ＬＥＤ１１と電池１２を、筒状のケーシング１０の軸方向に離して配置し、ＬＥＤ１１に接続してなる第１の接点１４Ａと、電池１２又は電池１２に接続してなる第２の接点１４Ｂとを対向位置に配置し、ＬＥＤ１１と電池１２との間には、第１の接点１４と第２の接点１４とを分離する方向に付勢するスイッチ１３用の弾性体１８を配置し、ＬＥＤ１１と電池１２は、ケーシング１０の軸方向に相対移動できる状態でケーシング１０内に配置し、第１の接点１４Ａ及び第２の接点１４Ｂと、スイッチ１３用の弾性体１８とで、ＬＥＤ１１を電池１２に接続するスイッチ１３を構成し、押圧部１０Ｂが押されて、電池１２とＬＥＤ１１とが互いに接近して、第２の接点１４Ｂが第１の接点１４Ａに接触してＬＥＤ１１が点灯される構成とすることができる。
【００１３】
さらに、本発明の点眼器は、ＬＥＤ１１をケーシング１０の先端部に軸方向に移動自在に配置し、押圧部１０Ｂが押されて、ケーシング１０が軸方向に移動して、ＬＥＤ１１が嵌合凹部２０の底面に押圧されて、ＬＥＤ１１が電池１２に向かって移動して、第２の接点１４Ｂが第１の接点１４Ａに接触してＬＥＤ１１が点灯される構成とすることができる。
【００１４】
さらにまた、本発明の点眼器は、電池１２がケーシング１０の後端部に軸方向に移動自在に配置されて、押圧部１０Ｂが押されて、電池１２がＬＥＤ１１に向かって移動して、第２の接点１４Ｂが第１の接点１４Ａに接触して、ＬＥＤ１１が点灯される構成とすることができる。
【図面の簡単な説明】
【００１５】
【図１】本発明の一実施形態にかかる点眼器の断面図である。
【図２】本発明の他の実施形態にかかる点眼器の断面図である。
【図３】図１に示す点眼器の底面図である。
【図４】本発明の他の実施形態にかかる点眼器の側面図である。
【図５】図４に示す点眼器の底面図である。
【図６】従来の点眼器の断面図である
【発明を実施するための形態】
【００１６】
以下、本発明の実施例を図面に基づいて説明する。ただし、以下に示す実施例は、本発明の技術思想を具体化するための点眼器を例示するものであって、本発明は点眼器を以下のものに特定しない。さらに、この明細書は、特許請求の範囲に示される部材を、実施例の部材に特定するものでは決してない。
【００１７】
図１と図２に示す点眼器１００、２００は、目薬３を充填している目薬容器２と、この目薬容器２の定位置に連結される照準器１とを備える。照準器１は、目薬容器２の底部に連結されるケーシング１０と、ケーシング１０に連結されて、目薬容器２の底から目薬３を透過して注液孔２１に向かって可視光線を照射するＬＥＤ１１と、ケーシング１０に内蔵されて、ＬＥＤ１１に電力を供給して発光させる電池１２とを備える。
【００１８】
目薬容器２は、照準器１のケーシング１０を定位置に配置する嵌合凹部２０を底面に設けている。嵌合凹部２０は、照準器１のケーシング１０を挿入する状態で、照準器１のＬＥＤ１１が照射する集束された可視光線の光ビームが、注液孔２１に向かって照射する位置に設けている。照準器１のケーシング１０が嵌合凹部２０に案内される状態で、ＬＥＤ１１の可視光線は注液孔２１に向かって照射して、注液孔２１を明るい点光源とし表示する。
【００１９】
図３の底面図に示す目薬容器２は、照準器１のケーシング１０の外径よりも薄く、照準器１のケーシング１０を両面に露出する状態で嵌合凹部２０に挿入している。この目薬容器２は、露出部１０Ｘを掴んで照準器１を簡単に嵌合凹部２０に脱着できる。
【００２０】
図１と図２は、ＬＥＤ１１を点灯するためのスイッチ１３の構造が異なる点眼器を例示している。図１の点眼器１００は、ＬＥＤ１１をケーシング１０の軸方向に移動するようにケーシング１０に内蔵している。図２の点眼器２００は、電池１２をケーシング１０の内部に軸方向に移動できるように内蔵する。図１の点眼器１００は、使用時に、ユーザーがケーシング１０の底面の押圧部１０Ｂを押して照準器１を嵌合凹部２０の内部に押し込むと、嵌合凹部２０の底面に設けた突出部２２がＬＥＤ１１を押し上げて、スイッチ１３の接点１４を接触させてＬＥＤ１１が点灯する。図２の点眼器２００は、電池１２をケーシング１０に軸方向に移動できるようにケーシング１０に内蔵している。この点眼器２００は、ケーシング１０の底面に設けた押圧部１０Ｂをユーザーが押し下げると、電池１２が押し下げられて接点１４が接触してＬＥＤ１１が点灯する。これ等の図に示す点眼器１００、２００は、ユーザーが使用時に押圧部１０Ｂを押すると、内蔵するスイッチ１３がオン状態に切り換えられてＬＥＤ１１を点灯するので、便利に使用できる。ただ、図１と図２は、スイッチ１３の具体例を例示するものであって、スイッチ１３の構造を図１と図２に示す構造に特定しない。ＬＥＤ１１のスイッチ１３には、現在使用され、あるいはこれから開発される種々のスイッチが使用できるからである。
【００２１】
目薬容器２の嵌合凹部２０は、照準器１のケーシング１０を位置ずれしない状態で挿入できる内形に成形される。目薬容器２は照準器１のケーシング１０を嵌合凹部２０に挿入する状態で、嵌合凹部２０の内面でケーシング１０を弾性的に押圧して、ケーシング１０を定位置に保持している。この目薬容器２は、嵌合凹部２０の内形が多少は変形できる弾性のある厚さにプラスチックを成形している。目薬容器２は、それ自体が弾性変形することで、嵌合凹部２０の内形を弾性的に変形させて、照準器１を位置ずれしないように挿入できる大きさに成形している。図１の目薬容器２は、照準器１をケーシング１０の軸方向に移動できるように挿入するので、嵌合凹部２０は、その内形を、挿入される照準器１を、位置ずれすることなく軸方向に移動できる形状に成形している。図２の目薬容器２は、照準器１をケーシング１０の軸方向に移動させる必要がないので、嵌合凹部２０の内形を、ケーシング１０を軸方向に移動できない大きさに成形できる。この嵌合凹部２０は、内形を小さくして照準器１を挿入する状態では、内面がケーシング１０表面を弾性的に強く押圧して脱着できない状態でセットする大きさに成形される。目薬容器２は、目薬３が漏れない状態で嵌合凹部２０を設けるので、製造工程において、底面を嵌合凹部２０のある形状に成形して、内部に目薬３を充填して使用される。
【００２２】
図１と図２の目薬容器２の嵌合凹部２０は、照準器１のほぼ全体を挿入できる深さとしている。この目薬容器２は、照準器１を正確に位置ずれしない状態で連結できる。図示しないが、嵌合凹部２０は必ずしも照準器１のケーシング１０を深く挿入することなく、浅く挿入して定位置に連結することもできる。図１の断面図に示す目薬容器２は、嵌合凹部２０の底面中央部に、ＬＥＤ１１を押圧する突出部２２を設けている。突出部２２は、挿入される照準器１のＬＥＤ１１を押し上げて、後述するスイッチ１３をオン状態としてＬＥＤ１１を点灯する。
【００２３】
照準器１は、目薬容器２の嵌合凹部２０に挿入して定位置に連結されるケーシング１０に、目薬容器２の底から注液孔２１に向かって可視光線を照射するＬＥＤ１１と、ＬＥＤ１１に電力を供給して発光させる電池１２と、ＬＥＤ１１を点滅させるスイッチ１３とを内蔵している。
【００２４】
ケーシング１０は金属又はプラスチックを筒状に成形している。筒状のケーシング１０は、先端の外周縁にリング状の鍔１０Ｃを設けて、ＬＥＤ１１を内部に配置している。筒状のケーシング１０は軸方向に離して、先端側にはＬＥＤ１１を後端側には電池１２を配置して、ＬＥＤ１１と電池１２との間にスイッチ１３の接点１４を配置している。図１の断面図に示すケーシング１０は、嵌合凹部２０に挿入された状態で軸方向に移動できるように、嵌合凹部２０の内面を弾性的に押圧する弾性アーム１５を設けている。この照準器１は、スムーズに嵌合凹部２０に挿入して定位置に配置でき、また弾性アーム１５が嵌合凹部２０の内面を弾性的に押圧する状態で、弾性アーム１５を嵌合凹部２０の内面に摺動させて、嵌合凹部２０の内部でスムーズに軸方向に移動できる特徴がある。
【００２５】
ＬＥＤ１１は、可視光線を集光して注液孔２１を照射する。ＬＥＤ１１の発光色は白色が適しているが、赤色、緑色、青色のＬＥＤ１１も使用できる。ＬＥＤ１１は、点光源の発光チップ前面に、凸レンズを集光レンズとして配置している。凸レンズは発光チップから照射される可視光線を所定の照射角に集光して注液孔２１を照射する。本発明の点眼器は、ＬＥＤ１１で注液孔２１を明るい点光源として照射する。ユーザーは明るい点光源をターゲットとして注液孔２１を目の真上に配置して、目薬３を正確に目に滴下できる。ＬＥＤ１１は、半径を１ｍｍ程度とする注液孔２１を照射するので、放射角を極めて小さくして、注液孔２１を明るく照射できる。ただ、照準器１は、注液孔２１のみでなく、注液孔２１の周囲をＬＥＤ１１で照射して、注液孔２１をターゲットとして明確に確認できるので、注液孔２１の近傍を照射する広い放射角とすることもでき、さらに、凸レンズの集光レンズを設けないＬＥＤ１１で広い範囲に可視光線を照射して、注液孔２１をターゲットとして確認することもできる。
【００２６】
ケーシング１０は、絶縁材１６を介してＬＥＤ１１を内部に配置している。図１と図２の点眼器１００、２００は、図に示す倒立姿勢において、注液孔２１の真上にＬＥＤ１１を配置している。この照準器１は、注液する目薬容器２の倒立姿勢において、ＬＥＤ１１が注液孔２１の真上にあって、真下に向かって可視光線を照射する。この照準器１は、ＬＥＤ１１の可視光線で明るく注液孔２１を照射して、注液孔２１を明確な点光源のターゲットとして明示できる。ただ、ＬＥＤ１１は、必ずしも倒立姿勢において注液孔２１の真上に配置する必要はない。それは、ＬＥＤ１１の可視光線が所定の放射角で照射するので、真上からずれた位置に配置されるＬＥＤ１１も、注液孔２１を照射できるからである。ＬＥＤ１１の可視光線は、目薬容器２と目薬３を透過して注液孔２１を照射する。
【００２７】
ＬＥＤ１１は、絶縁材１６を介してケーシング１０内の定位置に配置される。絶縁材１６は、プラスチックを成形して中央部にＬＥＤ１１を固定している。絶縁材１６は、ケーシング１０の内形にほぼ等しい外形の円柱状で、ケーシング１０の内側に挿入されてＬＥＤ１１を定位置に配置する。図１の絶縁材１６は、ケーシング１０内に軸方向に移動できるように、外径をケーシング１０の内径よりも僅かに小さい柱状に成形している。図２の絶縁材１６は、ケーシング１０内に軸方向に移動することなく嵌合状態で挿入されて、ＬＥＤ１１を定位置に配置する。図２の絶縁材１６は、両面接着テープ１７を介してケーシング１０に固定している。ＬＥＤ１１のスイッチ１３は、嵌合凹部２０の開口部に露出するケーシング１０の底面を、ＬＥＤ１１をオンオフに切り換える押圧部１０Ｂとしている。このスイッチ１３は、押圧部１０Ｂが押されてスイッチ１３をオン状態に切り換えてＬＥＤ１１を点灯する。
【００２８】
図１と図２の点眼器１００、２００は、ＬＥＤ１１と電池１２を、筒状のケーシング１０の軸方向に離して配置して、ＬＥＤ１１に接続している第１の接点１４Ａと、ボタン電池１２Ａの一方の表面を第２の接点１４Ｂとして、第１の接点１４Ａと第２の接点１４Ｂとを対向位置に配置している。第１の接点１４ＡはＬＥＤ１１を固定している絶縁材１６の下面に突出して設けている。第２の接点１４Ｂは、ボタン電池１２Ａの表面電極である。ボタン電池１２Ａは、両面接着テープ１７でケーシング１０の底面に固定されて、一方の電極を第２の接点１４Ｂとしている。図１と図２の点眼器１００、２００は、ボタン電池１２Ａの表面電極を第２の接点１４Ｂとするので、簡単な構造としながら、第２の接点１４Ｂと電池１２との接続カ所の接触不良を皆無にできる特徴がある。ただ、図示しないが、第２の接点は、ボタン電池の表面に絶縁材を配置して、この絶縁材の表面に突出して設けることもできる。この第２の接点は、リード線（図示せず）を介して電池の電極に接続される。
【００２９】
スイッチ１３は、第１の接点１４Ａと第２の接点１４Ｂを接触させてオン状態となり、両接点１４を離してオフ状態となる。第１の接点１４Ａと第２の接点１４Ｂとを引き離すために、ＬＥＤ１１と電池１２との間には、スイッチ１３用の弾性体１８を配置している。図１の照準器１は、ＬＥＤ１１を固定している絶縁材１６と電池１２との間にスイッチ１３用の弾性体１８を配置している。スイッチ１３用の弾性体１８は弾性変形する絶縁リング１８Ａである。絶縁リング１８Ａは、連続気泡のプラスチック発泡体、たとえば軟質ウレタンフォーム等のゴム状弾性体をリング状に成形して製作される。第１の接点１４Ａと第２の接点１４Ｂは、絶縁リング１８Ａの内側に配置され、絶縁リング１８Ａが押し潰される状態で第１の接点１４Ａと第２の接点１４Ｂとを接触させてＬＥＤ１１を点灯し、絶縁リング１８Ａの弾性的な復元力で第１の接点１４Ａと第２の接点１４Ｂとを分離する状態でオフ状態に切り換えられてＬＥＤ１１を消灯する。図１の絶縁リング１８Ａは、ＬＥＤ１１の絶縁材１６と電池１２との間に配置され、図２の絶縁リング１８Ａは、ＬＥＤ１１の絶縁材１６と電池１２及び押圧部１０Ｂを構成する底プレート部１０Ａとの間に配置される。絶縁リング１８Ａは、その両端面を、両面接着テープ１７などで接着して絶縁材１６、電池１２、底プレート部１０Ａに固定している。
【００３０】
電池１２はボタン電池１２Ａで、ケーシング１０の底プレート部１０Ａに固定している。電池１２は、両面接着テープ１７や接着剤で底プレート部１０Ａに固定している。図１の底プレート部１０Ａは、外周縁に設けた周壁１０ａをケーシング１０に固定している。図２の底プレート部１０Ａは、ケーシング１０に軸方向に移動できるように、ケーシング１０の内側に軸方向に移動する内筒１０ｂを内面に突出して設けている。内筒１０ｂは、ケーシング１０の内径よりも小さい外径の円筒状で、内側にボタン電池１２Ａを固定している。図２の底プレート部１０Ａは、内筒１０ｂの先端面をスイッチ１３用の弾性体１８である絶縁リング１８Ａに接着している。絶縁リング１８ＡはＬＥＤ１１の絶縁材１６に接着しているので、底プレート部１０Ａは絶縁リング１８Ａを介して絶縁材１６とケーシング１０に連結される。
【００３１】
図１と図２の点眼器１００、２００は、第１の接点１４Ａ及び第２の接点１４Ｂとスイッチ１３用の弾性体１８とで、ＬＥＤ１１を点滅するスイッチ１３を構成する。このスイッチ１３は、押圧部１０Ｂが押されて、スイッチ１３用の弾性体１８が弾性変形して電池１２とＬＥＤ１１とが互いに接近すると、第２の接点１４Ｂと第１の接点１４Ａとが接触してＬＥＤ１１を点灯し、押圧部１０Ｂが押されない状態になると、スイッチ１３用の弾性体１８の復元力で電池１２とＬＥＤ１１を分離して、ＬＥＤ１１を消灯する。図１の点眼器１００は、ＬＥＤ１１をケーシング１０の先端部に軸方向に移動自在に配置しているので、押圧部１０Ｂを押してケーシング１０を嵌合凹部２０の内部で軸方向に移動させると、ＬＥＤ１１が嵌合凹部２０の底面の突出部２２に押されて電池１２に向かって移動し、第２の接点１４Ｂが第１の接点１４Ａに接触してＬＥＤ１１を点灯する。図２の点眼器２００は、底プレート部１０Ａを介して電池１２をケーシング１０の後端部に軸方向に移動自在に配置している。この点眼器２００は、押圧部１０Ｂが押されると、電池１２がＬＥＤ１１に向かって移動して、第２の接点１４Ｂが第１の接点１４Ａに接触してＬＥＤ１１を点灯する。
【００３２】
さらに、図４と図５に示す点眼器３００は、目薬容器２の外形を円柱状としており、円柱状の目薬容器２の底面に照準器１を嵌入させる嵌合凹部２０を設けている。図５の底面図に示す目薬容器２は、照準器１のケーシング１０よりも外径が大きく、筒状のケーシング１０の全外周を露出させることなく嵌合凹部２０に挿入している。この目薬容器２は、照準器１を位置ずれなく正確な位置に配置できる。さらに、図４に示す照準器は、目薬容器２の嵌合凹部２０に嵌入された照準器１を取り外しやすいように、ケーシング１０の全体を嵌合凹部２０に挿入することなく、底プレート部１０Ａ側の底部を目薬容器２の底面から突出する状態で配置している。とくに、図４に示す照準器１は、底プレート部１０Ａの外周方向に突出する係止リング部１０Ｄを設けているので、この係止リング部１０Ｄを指先でつまんで引っ張ることで簡単に取り外しできる。
【産業上の利用可能性】
【００３３】
本発明の点眼器は、目薬容器に照準器を連結して、照準器でもって目の正確な位置に目薬を滴下するのに便利に使用できる。
【符号の説明】
【００３４】
１００、２００、３００…点眼器
１…照準器
２…目薬容器
３…目薬
１０…ケーシング
１０Ａ…底プレート部
１０ａ…周壁
１０ｂ…内筒
１０Ｂ…押圧部
１０Ｃ…鍔
１０Ｄ…係止リング部
１０Ｘ…露出部
１１…ＬＥＤ
１２…電池
１２Ａ…ボタン電池
１３…スイッチ
１４…接点
１４Ａ…第１の接点
１４Ｂ…第２の接点
１５…弾性アーム
１６…絶縁材
１７…両面接着テープ
１８…弾性体
１８Ａ…絶縁リング
２０…嵌合凹部
２１…注液孔
２２…突出部
９０…目薬
９１…目薬容器
９２…ＬＥＤ
９３…電池
９４…スイッチ
９５…注液孔
【図１】
2019129863.tif 000003
【図２】
2019129863.tif 000004
【図３】
2019129863.tif 000005
【図４】
2019129863.tif 000006
【図５】
2019129863.tif 000007
【図６】
2019129863.tif 000008